(57)【要約】      （修正有）【課題】少なくとも１つの高スループット動作可能アクセスポイント（ＡＰ）と、少なくとも１つの追加のアクセスポイント（ＡＰ）と、少なくとも１つの高スループット動作可能ステーション（ＳＴＡ）とを含むワイヤレスローカルエリアネットワーク（ＷＬＡＮ）において、高スループット能力および機能に関する不確定性による潜在的問題を回避する。【解決手段】ＳＴＡとターゲットＡＰは高スループット関連情報を通信し、ＳＴＡは、通信された高スループット関連情報に基づいてターゲットＡＰへの基本サービスセット（ＢＳＳ）遷移を実施する。高スループット関連情報をＳＴＡとターゲットＡＰの間で直接的に通信することができ、または現ＡＰを介して通信することができる。ＳＴＡは、ＡＰの拡張範囲および通常範囲に関する測定レポートを別々に送信することができ、またはＡＰの拡張範囲および通常範囲に関する組合せ測定レポートを送信することができる。【選択図】図１
2011234375.tif 000002
【特許請求の範囲】
【請求項１】
高スループットオペレーションを実現する方法であって、
第１間隔でビーコンフレームを受信する工程と、
第２間隔で高スループット（ＨＴ）能力要素を有する測定パイロットフレームを受信する工程であって、前記第２間隔が前記第１間隔よりも短い工程と
を具えたことを特徴とする方法。
【請求項２】
前記測定パイロットフレーム内の前記ＨＴ能力要素が、アクセスポイント（ＡＰ）の能力、機能、またはパラメータのうちの少なくとも１つを含むことを特徴とする請求項１記載の方法。
【請求項３】
前記ＨＴ能力要素が、複数のメディアアクセス制御（ＭＡＣ）プロトコロルデータユニット（ＭＰＤＵ）の、１つの物理サービスデータユニット（ＰＳＤＵ）への集約を可能にするフレーム集約フォーマットを示すことを特徴とする請求項１記載の方法。
【発明の詳細な説明】
【技術分野】
【０００１】
本発明はワイヤレスローカルエリアネットワーク（ＷＬＡＮ）に関し、より詳細には、高スループットＷＬＡＮシステム用の拡張基本サービスセット（ＢＳＳ）遷移のための方法およびシステムに関する。
【背景技術】
【０００２】
ＩＥＥＥ８０２．１１ＷＬＡＮ規格に対するＩＥＥＥ８０２．１１ｒ修正は、高速基本サービスセット（ＢＳＳ）遷移を記述する。ＩＥＥＥ８０２．１１ｒ修正の目標は、ステーション（ＳＴＡ）と配布システム（ＤＳ）の間のデータ接続性がＢＳＳ遷移中に失われる時間量を最小限に抑えることである。ＩＥＥＥ８０２．１１ｒ修正によれば、ＳＴＡは、ＤＳに対する最小の接続性損失で、新しいＡＰでセキュリティおよびサービス品質（ＱｏＳ）状態を確立することができる。
【０００３】
ＩＥＥＥ８０２．１１ｒは、現ＡＰから新しいＡＰへのＢＳＳ遷移のための３つのステージを定義する。発見ステージでは、ＳＴＡが、遷移を試みるＡＰの位置を突き止め、決定する。ＩＥＥＥ８０２．１１ｒ  ＢＳＳ遷移サービスは、遷移を行う前にＳＴＡがターゲットＡＰ候補に関する情報を通信および検索する機構を提供する。資源確立ステージでは、ＳＴＡは、ＳＴＡがアクティブセッションを維持するのに必要な接続資源をターゲットＡＰが提供することを判定することができる。ＩＥＥＥ８０２．１１ｒ高速ＢＳＳ遷移サービスは、遷移を行う前、またはターゲットＡＰとの再関連付け時に、ＳＴＡがターゲットＡＰの資源を確保する機構を提供する。遷移ステージでは、ＳＴＡは、現ＡＰを放棄し、新しいＡＰとの接続を確立する。ＩＥＥＥ８０２．１１ｒ高速ＢＳＳ遷移サービスは、ＳＴＡがターゲットＡＰと再関連付けする機構を提供すると共に、プロトコルオーバヘッドから導入される待ち時間を最小限に抑える。
【０００４】
ＳＴＡは、ＩＥＥＥ８０２．１１認証フレームを使用して（すなわち「無線経由で」）、または現在関連付けられているＡＰを介して（すなわち「ＤＳ経由で」）直接的にターゲットＡＰと通信することができる。ＤＳ経由ケースでは、ＳＴＡとターゲットＡＰの通信が、ＳＴＡと現ＡＰの間の高速遷移アクションフレームで、現ＡＰとターゲットＡＰの間のカプセル化方法を使用して実施される。
【発明の概要】
【発明が解決しようとする課題】
【０００５】
ＷＬＡＮでのスループットを改善するためにＩＥＥＥ８０２．１１ｎが提案された。ＩＥＥＥ８０２．１１ａ／ｂ／ｇ規格とは異なり、ＩＥＥＥ８０２．１１ｎでは、メディアアクセス制御（ＭＡＣ）および物理層での多くの任意選択の機能、能力、およびパラメータが定義される。これにより、あるＡＰ（例えば現ＡＰ）がある１組の能力、機能、および／またはパラメータをサポートし、別のＡＰ（例えばターゲットＡＰ）が、現ＡＰのものとは同一ではない異なる１組の能力、機能、および／またはパラメータをサポートするという、潜在的に問題となる状況が生じる。
【０００６】
このような状況は、異なるベンダによる装置がネットワーク内に配置されるときに生じる可能性があるだけではなく、異なるトラフィックの必要にかなうように異なる構成がＡＰに適用されるときにも生じる可能性がある。これにより、ＳＴＡがＢＳＳ遷移を開始したときに、性能、ＱｏＳなどに関する問題が生じる可能性がある。ＳＴＡは、進行中のセッションについてどの能力、機能、およびパラメータがターゲットＡＰでサポートされるかを認識しないからである。
【０００７】
例えば、ＩＥＥＥ８０２．１１ｎ動作可能ＳＴＡがＡＰによって４０ＭＨｚチャネルでサービスを受けるときに、ターゲットＡＰが２０ＭＨｚチャネルのみをサポートする場合、ＢＳＳ遷移後にＳＴＡが同一のスループットを受けない可能性が高い。現在の最新技術では、ＳＴＡは、隣接するＡＰで実装され、または現在使用されている高スループット関連の能力、機能、およびパラメータの知識を有さない。
【０００８】
別の例では、特殊省電力機能を実装すると共にｖｏｉｃｅ  ｏｖｅｒ  Ｉｎｔｅｒｎｅｔ  ｐｒｏｔｏｃｏｌ（ＶｏＩＰ）サービスを送達する高スループットＳＴＡは、同一の能力をサポートするＩＥＥＥ８０２．１１ｎ  ＡＰを再選択することを望む可能性がある。しかし、現在の最新技術では、ＳＴＡは、ターゲットＡＰがこうしたＩＥＥＥ８０２．１１ｎ省電力機能を使用するかどうかを認識しない。この結果、ＳＴＡの電力消費が上昇する可能性があり、またはＳＴＡが適切なＩＥＥＥ８０２．１１ｎＡＰを見つけるまでのＡＰの再選択が頻繁となる可能性がある。
【課題を解決するための手段】
【０００９】
本発明は、高スループットＷＬＡＮシステム用の拡張ＢＳＳ遷移のための方法およびシステムに関する。ＷＬＡＮは、少なくとも１つの高スループット動作可能ＡＰと、少なくとも１つの追加のＡＰ（高スループット動作可能または非高スループット動作可能ＡＰ）と、少なくとも１つの高スループット動作可能ＳＴＡとを含む。ＳＴＡとターゲットＡＰは、ＩＥＥＥ８０２．１１ｎ能力または機能などの高スループット関連情報を通信し、ＳＴＡは、通信された高スループット関連情報に基づいてターゲットＡＰへのＢＳＳ遷移を実施する。高スループット関連情報をＳＴＡとターゲットＡＰの間で直接的に通信することができ、または現ＡＰを介して通信することができる。高スループット関連情報をＩＥＥＥ８０２．１１ｒ、８０２．１１ｋ、または８０２．１１ｖシグナリングメッセージなどの中に含めることができる。ＳＴＡは、ＡＰの拡張範囲および通常範囲に関する測定レポートを別々に生成および送信することができ、またはＡＰの拡張範囲および通常範囲に関する組合せ測定レポートを生成および送信することができる。ネットワーク管理エンティティは、高スループット能力、機能、およびパラメータに関するＳＴＡおよびＡＰの現ステータス情報を得ることができ、ＳＴＡおよびＡＰ（現在またはターゲット）の高スループット能力、機能、およびパラメータのうちの少なくとも１つを選択的に動作可能および動作不能にすることができる。
【００１０】
例示として与えられ、添付の図面と共に理解すべきである好ましい実施形態の以下の説明から、本発明のより詳細な理解を得ることができる。
【図面の簡単な説明】
【００１１】
【図１】本発明に従って動作するワイヤレス通信システムを示す図である。
【図２】本発明による拡張ＢＳＳ遷移のためのプロセスの流れ図である。
【発明を実施するための形態】
【００１２】
以下で参照するとき、「ＳＴＡ」という用語は、限定はしないが、ユーザ装置、ワイヤレス送信／受信ユニット（ＷＴＲＵ）、固定または移動のサブスクライバユニット、ページャ、またはワイヤレス環境で動作することのできる任意の他のタイプの装置を含む。以下で参照するとき、「ＡＰ」という用語は、限定はしないが、Ｎｏｄｅ−Ｂ、基地局、サイトコントローラ、またはワイヤレス環境内の任意の他のタイプのインターフェーシング装置を含む。
【００１３】
図１は、本発明に従って動作するワイヤレス通信システム１００を示す。通信システム１００は、ＳＴＡ１１０と、複数のＡＰ１２０ａ、１２０ｂとを含む。ＳＴＡ１１０は高スループット動作可能ＳＴＡ（ＩＥＥＥ８０２．１１ｎ動作可能ＳＴＡなど）であり、少なくとも１つのＡＰ（例えばＡＰ１２０ｂ）は高スループット動作可能ＡＰ（ＩＥＥＥ８０２．１１ｎ動作可能ＡＰなど）である。各ＡＰ１２０ａ、１２０ｂは、それぞれＢＳＳ１３０ａ、１３０ｂにサービスする。ＡＰ１２０ａ、１２０ｂはＤＳ１４０に接続され、これが拡張サービスセット（ＥＳＳ）を形成することができる。ＡＰ１２０ａ、１２０ｂは、相異なるＥＳＳに属することができる。ＳＴＡ１１０は現在ＡＰ１２０ａに関連付けられており、ＡＰ１２０ｂ（すなわちターゲットＡＰ）へのＢＳＳ遷移を実施する必要がある。本発明によれば、スタートアップ時またはシステム動作中に、高スループット（例えばＩＥＥＥ８０２．１１ｎ）、能力、機能、およびパラメータを交換し、動作可能にし、動作不能にし、または修正することができる。
【００１４】
図２は、本発明による拡張ＢＳＳ遷移のためのプロセス２００の流れ図である。ＢＳＳ遷移の前に、ＳＴＡ１１０とターゲットＡＰ１２０ｂは、高スループット関連情報（すなわち高スループット関連の能力、機能、パラメータなど）を通信する（ステップ２０２）。ＳＴＡ１１０は、通信した高スループット関連情報に基づいてターゲットＡＰ１２０ｂへのＢＳＳ遷移を実施する（ステップ２０４）。ＳＴＡ１１０とターゲットＡＰ１２０ｂの間で直接的に（すなわち「無線経由で」）、またはＳＴＡ１１０が現在関連付けられているＡＰ（例えばＡＰ１２０ａ）を介して（すなわち「ＤＳ経由で」）高スループット関連情報を通信することができる。本発明によれば、ＳＴＡ１１０およびターゲットＡＰ１２０ｂは、ＢＳＳ遷移の前にＳＴＡ１１０およびターゲットＡＰ１２０ｂの高スループット関連情報を認識しており、高スループット能力および機能に関する不確定性による潜在的問題を回避することができる。
【００１５】
高スループット関連情報を、ＩＥＥＥ８０２．１１ｒ、８０２．１１ｖ、および８０２．１１ｋ規格に基づくシグナリングメッセージを含む既存のシグナリングメッセージ内に含めることができる。高スループット関連情報を搬送するために、既存のシグナリングメッセージに少なくとも１つの情報要素（ＩＥ）を追加することができる。あるいは、現在定義されているＩＥを改善または拡張して、高スループット関連情報を提供することもできる。「ＩＥ」という用語は一般的説明として使用され、任意のフレームタイプまたは要素中の任意の情報搬送シグナリングメッセージまたは情報搬送データ要素に拡張できることに留意されたい。
【００１６】
高スループット関連情報を、管理フレーム、制御フレーム、アクションフレーム、データフレーム、または任意のタイプのフレーム内に含めることができる。高スループット関連情報を、ビーコンフレーム、プローブ要求フレーム、プローブ応答フレーム、２次または補助ビーコンフレーム（例えば、拡張範囲機能をサポートするのに使用されるビーコンフレーム）、関連付け要求フレーム、関連付け応答フレーム、再関連付け要求フレーム、再関連付け応答フレーム、認証要求フレーム、認証応答フレーム、または任意のフレーム内に含めることができる。
【００１７】
高スループット関連情報を、高速遷移（ＦＴ）アクション要求フレームやＦＴアクション応答フレームなどのＩＥＥＥ８０２．１１ｒシグナリングメッセージ内に含めることができる。高スループット関連情報を、測定パイロットフレーム、ＡＰチャネル要求要素、ＡＰチャネルレポート要素、隣接レポート要求フレームまたは要素、隣接レポート応答フレームまたは要素などのＩＥＥＥ８０２．１１ｋシグナリングメッセージ内に含めることができる。高スループット関連情報を、ローミング管理要求フレームまたは要素、ローミング管理応答フレームまたは要素などのＩＥＥＥ８０２．１１ｖシグナリングメッセージ内に含めることができる。
【００１８】
ＳＴＡとＡＰの間、ＳＴＡ間、またはＡＰ間で通信することのできる高スループット関連情報（例えばＩＥＥＥ８０２．１１ｎ関連情報）を表１に列挙する。表１のリストは一例として与えたものであって、任意の他の関連情報をさらに含めることができることに留意されたい。表１に列挙される情報のうちの少なくとも１つを、高スループットＳＴＡに関するＢＳＳ遷移のために通信することができる。
【００１９】
【表１−１】
2011234375.tif 000003
【００２０】
【表１−２】
2011234375.tif 000004
【００２１】
表１中の情報に加えて、高スループットＳＴＡ用のＢＳＳ遷移サービスのために以下の情報のうちの少なくとも１つを通信することもできる。
１）ＩＥＥＥ８０２．１１ｎサービスの可用性、
２）ＢＡ資源の可用性、およびＢＡ合意の事前セットアップ
３）ＭＰＤＵ密度パラメータなどのＡ−ＭＰＤＵ集約パラメータのセットアップ、
４）ＰＳＭＰサービスの可用性、
５）自動省電力送達（ＡＰＳＤ）サービスおよびパラメータの可用性、
６）拡張範囲サービスの可用性、および
７）時空ブロックコーディング（ＳＴＢＣ）ベースのＭＣＳなどの一定のデータ転送速度（すなわち変調およびコーディング方式（ＭＣＳ））の可用性
【００２２】
拡張範囲機能は、ＷＬＡＮの範囲を改善し、デッドスポットを除去するように設計されている。拡張範囲機能が実装されたとき、あるＳＴＡは、拡張範囲ＭＣＳ（例えば時空ブロックコーディング（ＳＴＢＣ））を使用することができ、ＡＰの有効範囲が拡張され、一方、他のＳＴＡは、通常範囲および通常のＭＣＳを使用することができる。ＢＳＳ範囲は、拡張範囲についてのエリアと、通常範囲についてのエリアの２つのエリアを含むものとして見ることができる。拡張範囲エリアは通常範囲エリアを包含する。
【００２３】
拡張範囲機能について、ＳＴＡとＡＰは、隣接レポートフレーム、測定パイロットフレーム、測定要求／応答フレーム（または要素）、リンク測定要求／応答フレーム（または要素）などを交換することができる。隣接レポートフレームは、隣接ＡＰ情報を含む隣接ＡＰをレポートするのに伝送される。測定パイロットフレームは、測定値に関する情報を含む。測定要求フレーム（または要素）は、受信側ＳＴＡが指定の測定アクションを請け負うという要求を含む。リンク測定要求フレームはＳＴＡによって送信され、リンク測定レポートフレームで応答するように別のＳＴＡに要求し、リンク経路損失の測定およびリンクマージンの推定を可能にする。
【００２４】
本発明によれば、隣接セルごとに測定を実施およびレポートする際に、ＳＴＡは、拡張範囲について、および通常範囲についての、２つの別々かつ独立の測定レポートを生成することができる。あるいは、ＳＴＡは、拡張範囲と通常範囲の両方についての単一の組合せ測定レポートを生成することもできる。
【００２５】
高スループット能力、機能、およびパラメータをネットワーク管理エンティティによって選択的に動作可能または動作不能にすることができる。リモートまたはローカルネットワーク管理エンティティは、ｌａｙｅｒ  ２通信プロトコルまたはｌａｙｅｒ  ３より高いｌａｙｅｒの通信プロトコルを介して、個々のＡＰ、ＡＰのグループ、個々のＳＴＡ、またはＳＴＡのグループと通信し、ＡＰおよびＳＴＡの使用される能力、機能、およびパラメータの現ステータスを選択的に検索する。ポール（すなわち要求およびレポート機構）、周期的レポートを介して、または自発的に、現ステータス情報の検索を実施することができる。ステータス情報を収集した後、ネットワーク管理エンティティは、表１のリストを含む、上述の高スループット能力、機能、およびパラメータのうちの１つまたは複数を選択的に動作可能または動作不能にすることができる。
【００２６】
簡易ネットワーク管理プロトコル（ＳＮＭＰ）をシグナリングプロトコルとして使用することができる。あるいは、シグナリングプロトコルはＳＮＭＰ状のメッセージを使用することができる。ＳＮＭＰメッセージは、ＳＴＡとＡＰの間で伝送するためにＡＰによってＬ２フレームとしてカプセル化され、ＡＰとネットワーク管理エンティティの間で伝送するためにＡＰでＳＮＭＰメッセージに変換される。別の代替実施形態では、シグナリグプロトコルをＩＰユニット内部で搬送することができる。
【００２７】
高スループット能力、機能、およびパラメータのステータス情報を収集するために、通信は、ＳＴＡ、ＡＰ、ネットワーク管理エンティティ、またはそれらの組合せの上に実装されたデータベースを介するものでよい。好ましくは、データベースは、管理情報ベース（ＭＩＢ）の形態である。
【００２８】
ネットワーク管理機能は、１つまたは複数のＡＰ内に常駐することができ、ＡＰは、ＡＰおよび／またはＳＴＡに関連する高スループット能力、機能、およびパラメータに関する情報をそれら自体の間で交換することができる。
【００２９】
実施形態
１．少なくとも１つの高スループット動作可能ＡＰおよび少なくとも１つの高スループット動作可能ＳＴＡを含むワイヤレス通信システムにおける、現ＡＰからターゲットＡＰへの拡張ＢＳＳ遷移のための方法。
【００３０】
２．高スループット動作可能ＳＴＡとターゲット高スループット動作可能ＡＰが高スループット関連情報を通信することを含む実施形態１の方法。
【００３１】
３．高スループット動作可能ＳＴＡが、通信された高スループット関連情報に基づいてターゲット高スループット動作可能ＡＰへのＢＳＳ遷移を実施することを含む実施形態２の方法。
【００３２】
４．高スループット関連情報が、高スループット動作可能ＳＴＡとターゲット高スループット動作可能ＡＰの間で直接的に通信される実施形態２〜３のいずれか１つの方法。
【００３３】
５．高スループット関連情報が現ＡＰを介して通信される実施形態２〜３のいずれか１つの方法。
【００３４】
６．高スループット関連情報が、ビーコンフレーム、２次ビーコンフレーム、プローブ要求フレーム、プローブ応答フレーム、関連付け要求フレーム、関連付け応答フレーム、再関連付け要求フレーム、再関連付け応答フレーム、認証要求フレーム、および認証応答フレームのうちの少なくとも１つの中に含まれる実施形態２〜５のいずれか１つの方法。
【００３５】
７．高スループット関連情報が、データフレーム、管理フレーム、制御フレーム、およびアクションフレームのうちの少なくとも１つの中に含まれる実施形態２〜６のいずれか１つの方法。
【００３６】
８．高スループット関連情報がＩＥＥＥ８０２．１１ｒ関連シグナリングメッセージ内に含まれる実施形態２〜７のいずれか１つの方法。
【００３７】
９．高スループット関連情報がＩＥＥＥ８０２．１１ｋ関連シグナリングメッセージ内に含まれる実施形態２〜７のいずれか１つの方法。
【００３８】
１０．高スループット関連情報が、測定パイロットフレーム、ＡＰチャネル要求要素、ＡＰチャネルレポート要素、隣接レポート要求フレーム、隣接レポート応答フレーム、隣接レポート要求要素、隣接レポート応答要素のうちの少なくとも１つの中に含まれる実施形態９の方法。
【００３９】
１１．高スループット関連情報がＩＥＥＥ８０２．１１ｖ関連シグナリングメッセージ内に含まれる実施形態２〜７のいずれか１つの方法。
【００４０】
１２．高スループット関連情報が、ローミング管理要求フレーム、ローミング管理要求要素、ローミング管理応答フレーム、およびローミング管理応答要素のうちの少なくとも１つの中に含まれる実施形態１１の方法。
【００４１】
１３．高スループット関連情報がＩＥＥＥ８０２．１１ｎ関連情報である実施形態２〜７のいずれか１つの方法。
【００４２】
１４．高スループット関連情報が、ＩＥＥＥ８０２．１１ｎサービスの可用性、ブロックＡＣＫ資源の可用性およびブロックＡＣＫ合意の事前セットアップ、Ａ−ＭＰＤＵ集約パラメータのセットアップ、ＰＳＭＰサービスの可用性、ＡＰＳＤサービスおよびパラメータの可用性、拡張範囲サービスの可用性、ならびに一定のデータ転送速度の可用性のうちの少なくとも１つを含む実施形態１３の方法。
【００４３】
１５．高スループット関連情報が、高スループット動作可能ＡＰおよび高スループット動作可能ＳＴＡの能力、機能、およびパラメータのうちの少なくとも１つを含む実施形態２〜１４のいずれか１つの方法。
【００４４】
１６．高スループット関連情報が、複数のＭＰＤＵの、１つのＰＳＤＵへの集約を可能にするフレーム集約フォーマットを示す実施形態２〜１５のいずれか１つの方法。
【００４５】
１７．高スループット関連情報が、複数のＭＳＤＵの、１つのＭＰＤＵへの集約を可能にするフレーム集約フォーマットを示す実施形態２〜１６のいずれか１つの方法。
【００４６】
１８．高スループット関連情報がブロック肯定応答機構を示す実施形態２〜１７のいずれか１つの方法。
【００４７】
１９．高スループット関連情報がＮイミディエイトブロック肯定応答を示す実施形態２〜１８のいずれか１つの方法。
【００４８】
２０．高スループット関連情報が、ＢＡまたはＢＡＲに関する否定応答を含むＮ遅延ＢＡを示す実施形態２〜１９のいずれか１つの方法。
【００４９】
２１．高スループット関連情報が圧縮ビットマップブロック肯定応答を示す実施形態２〜２０のいずれか１つの方法。
【００５０】
２２．高スループット関連情報が、ＰＳＤＵとして集約されたＭＰＤＵの通常肯定応答をアサートすることによる暗黙的ブロック肯定応答要求を示す実施形態２〜２１のいずれか１つの方法。
【００５１】
２３．高スループット関連情報が、ＮＡＶ解放のためのＣＦエンドでの長ＮＡＶ確保を示す実施形態２〜２２のいずれか１つの方法。
【００５２】
２４．高スループット関連情報が物理層レベルスプーフィングを示す実施形態２〜２３のいずれか１つの方法。
【００５３】
２５．高スループット関連情報がＭＩＭＯ省電力を示す実施形態２〜２４のいずれか１つの方法。
【００５４】
２６．高スループット関連情報がＭＩＭＯ低減能力を示す実施形態２〜２５のいずれか１つの方法。
【００５５】
２７．高スループット関連情報が、２０ＭＨｚチャネルと４０ＭＨｚチャネルの共存を管理するための機構を示す実施形態２〜２６のいずれか１つの方法。
【００５６】
２８．高スループット関連情報がチャネル管理管理方法およびチャネル選択方法を示す実施形態２〜２７のいずれか１つの方法。
【００５７】
２９．高スループット関連情報がＲＩＦＳ保護を示す実施形態２〜２８のいずれか１つの方法。
【００５８】
３０．高スループット関連情報がグリーンフィールド保護を示す実施形態２〜２９のいずれか１つの方法。
【００５９】
３１．高スループット関連情報がＰＳＭＰを示す実施形態２〜３０のいずれか１つの方法。
【００６０】
３２．高スループット関連情報が複数のＴＩＤブロック肯定応答を示す実施形態２〜３１のいずれか１つの方法。
【００６１】
３３．高スループット関連情報がＳＴＢＣ制御フレームを示す実施形態２〜３２のいずれか１つの方法。
【００６２】
３４．高スループット関連情報がＬ−ＳＩＧ伝送機会保護を示す実施形態２〜３３のいずれか１つの方法。
【００６３】
３５．高スループット関連情報がＰＣＯ能力を示す実施形態２〜３４のいずれか１つの方法。
【００６４】
３６．高スループット関連情報が送信ビーム形成能力を示す実施形態２〜３５のいずれか１つの方法。
【００６５】
３７．高スループット関連情報が高速リンク適合を示す実施形態２〜３６のいずれか１つの方法。
【００６６】
３８．高スループット関連情報が暗黙的フィードバックを示す実施形態２〜３７のいずれか１つの方法。
【００６７】
３９．高スループット関連情報がＣＳＩフィードバックを示す実施形態２〜３８のいずれか１つの方法。
【００６８】
４０．高スループット関連情報が、ゼロ長フレームのサウンディングフレームとしての使用を示す実施形態２〜３９のいずれか１つの方法。
【００６９】
４１．高スループット関連情報が較正サポートを示す実施形態２〜４０のいずれか１つの方法。
【００７０】
４２．高スループット関連情報が応答側のデータ転送の逆方向サポートを示す実施形態２〜４１のいずれか１つの方法。
【００７１】
４３．高スループット関連情報がアンテナ選択を示す実施形態２〜４２のいずれか１つの方法。
【００７２】
４４．高スループット動作可能ＳＴＡが、高スループット動作可能ＡＰの拡張範囲および通常範囲についての測定レポートを別個に生成および送信する実施形態２〜４３のいずれか１つの方法。
【００７３】
４５．高スループット動作可能ＳＴＡが、高スループット動作可能ＡＰの拡張範囲および通常範囲についての組合せ測定レポートを生成および送信する実施形態２〜４４のいずれか１つの方法。
【００７４】
４６．高スループット能力、機能、およびパラメータに関する高スループット動作可能ＳＴＡおよび高スループット動作可能ＡＰの現ステータス情報を得るネットワーク管理エンティティをさらに備える実施形態３〜４５のいずれか１つの方法。
【００７５】
４７．高スループット動作可能ＳＴＡおよび高スループット動作可能ＡＰの高スループット能力、機能、およびパラメータのうちの少なくとも１つを選択的に動作可能および動作不能にするネットワーク管理エンティティを備える実施形態４６の方法。
【００７６】
４８．ネットワーク管理エンティティが高スループット動作可能ＡＰ内に含まれる実施形態４６〜４７のいずれか１つの方法。
【００７７】
４９．ネットワーク管理エンティティ、高スループット動作可能ＳＴＡ、および高スループット動作可能ＡＰが、ｌａｙｅｒ  ２通信プロトコルを介して通信し、現ステータス情報を検索する実施形態４６〜４８のいずれか１つの方法。
【００７８】
５０．ネットワーク管理エンティティ、高スループット動作可能ＳＴＡ、および高スループット動作可能ＡＰが、ｌａｙｅｒ  ３通信プロトコルを介して通信し、現ステータス情報を検索する実施形態４６〜４８のいずれか１つの方法。
【００７９】
５１．現ステータス情報がポールを介して検索される実施形態４６〜５０のいずれか１つの方法。
【００８０】
５２．現ステータス情報が周期的レポーティングを介して検索される実施形態４６〜５０のいずれか１つの方法。
【００８１】
５３．現ステータス情報が自発的に検索される実施形態４６〜５０のいずれか１つの方法。
【００８２】
５４．ネットワーク管理エンティティ、高スループット動作可能ＳＴＡ、および高スループット動作可能ＡＰがＳＮＭＰを使用して通信する実施形態４６〜４８のいずれか１つの方法。
【００８３】
５５．ネットワーク管理エンティティ、高スループット動作可能ＳＴＡ、および高スループット動作可能ＡＰがＳＮＭＰ状メッセージを使用して通信し、ＳＮＭＰメッセージが、高スループット動作可能ＳＴＡと高スループット動作可能ＡＰの間で伝送するために高スループット動作可能ＡＰによってＬ２フレームとしてカプセル化され、高スループット動作可能ＡＰとネットワーク管理エンティティの間で伝送するために高スループット動作可能ＡＰでＳＮＭＰメッセージに変換される実施形態４６〜４８のいずれか１つの方法。
【００８４】
５６．ネットワーク管理エンティティ、高スループット動作可能ＳＴＡ、および高スループット動作可能ＡＰがＩＰユニットを使用して通信する実施形態４６〜４８のいずれか１つの方法。
【００８５】
５７．ステータス情報が、高スループット動作可能ＳＴＡ、高スループット動作可能ＡＰ、およびネットワーク管理エンティティのうちの少なくとも１つの上に実装されたデータベースを介して収集される実施形態４６〜５６のいずれか１つの方法。
【００８６】
５８．データベースがＭＩＢの形態である実施形態５７の方法。
【００８７】
５９．現ＡＰとターゲット高スループット動作可能ＡＰが同一のＥＳＳに属する実施形態２〜５８のいずれか１つの方法。
【００８８】
６０．現ＡＰとターゲット高スループット動作可能ＡＰが異なるＥＳＳに属する実施形態２〜５８のいずれか１つの方法。
【００８９】
６１．現ＡＰからターゲットＡＰへの拡張ＢＳＳ遷移のためのワイヤレス通信システム。
【００９０】
６２．高スループット関連情報を通信するように構成された少なくとも１つの高スループット動作可能ＡＰを備える実施形態６１のシステム。
【００９１】
６３．高スループット関連情報を通信し、通信した高スループット関連情報に基づいてターゲットＡＰへのＢＳＳ遷移を実施するように構成された少なくとも１つの高スループット動作可能ＳＴＡを備える実施形態６２のシステム。
【００９２】
６４．高スループット関連情報が、ＳＴＡとターゲットＡＰの間で直接的に通信される実施形態６２〜６３のいずれか１つのシステム。
【００９３】
６５．高スループット関連情報が、現ＡＰを介してＳＴＡとターゲットＡＰの間で通信される実施形態６２〜６４のいずれか１つのシステム。
【００９４】
６６．高スループット関連情報が、ビーコンフレーム、２次ビーコンフレーム、プローブ要求フレーム、プローブ応答フレーム、関連付け要求フレーム、関連付け応答フレーム、再関連付け要求フレーム、再関連付け応答フレーム、認証要求フレーム、および認証応答フレームのうちの少なくとも１つの中に含まれる実施形態６２〜６５のいずれか１つのシステム。
【００９５】
６７．高スループット関連情報が、データフレーム、管理フレーム、制御フレーム、およびアクションフレームのうちの少なくとも１つの中に含まれる実施形態６２〜６６のいずれか１つのシステム。
【００９６】
６８．高スループット関連情報がＩＥＥＥ８０２．１１ｒ関連シグナリングメッセージ内に含まれる実施形態６２〜６７のいずれか１つのシステム。
【００９７】
６９．高スループット関連情報がＩＥＥＥ８０２．１１ｋ関連シグナリングメッセージ内に含まれる実施形態６２〜６７のいずれか１つのシステム。
【００９８】
７０．高スループット関連情報が、測定パイロットフレーム、ＡＰチャネル要求要素、ＡＰチャネルレポート要素、隣接レポート要求フレーム、隣接レポート応答フレーム、隣接レポート要求要素、隣接レポート応答要素のうちの少なくとも１つの中に含まれる実施形態６９のシステム。
【００９９】
７１．高スループット関連情報がＩＥＥＥ８０２．１１ｖ関連シグナリングメッセージ内に含まれる実施形態６２〜６７のいずれか１つのシステム。
【０１００】
７２．高スループット関連情報が、ローミング管理要求フレーム、ローミング管理要求要素、ローミング管理応答フレーム、およびローミング管理応答要素のうちの少なくとも１つの中に含まれる実施形態７１のシステム。
【０１０１】
７３．高スループット関連情報がＩＥＥＥ８０２．１１ｎ関連情報である実施形態６２〜６７のいずれか１つのシステム。
【０１０２】
７４．高スループット関連情報が、ＩＥＥＥ８０２．１１ｎサービスの可用性、ブロックＡＣＫ資源の可用性およびブロックＡＣＫ合意の事前セットアップ、Ａ−ＭＰＤＵ集約パラメータのセットアップ、ＰＳＭＰサービスの可用性、ＡＰＳＤサービスおよびパラメータの可用性、拡張範囲サービスの可用性、ならびに一定のデータ転送速度の可用性のうちの少なくとも１つを含む実施形態７３のシステム。
【０１０３】
７５．高スループット関連情報が、ＡＰおよびＳＴＡの能力、機能、およびパラメータのうちの少なくとも１つを含む実施形態６２〜７４のいずれか１つのシステム。
【０１０４】
７６．高スループット関連情報が、複数のＭＰＤＵの、１つのＰＳＤＵへの集約を可能にするフレーム集約フォーマットを示す実施形態６２〜７５のいずれか１つのシステム。
【０１０５】
７７．高スループット関連情報が、複数のＭＳＤＵの、１つのＭＰＤＵへの集約を可能にするフレーム集約フォーマットを示す実施形態６２〜７６のいずれか１つのシステム。
【０１０６】
７８．高スループット関連情報がブロック肯定応答機構を示す実施形態６２〜７７のいずれか１つのシステム。
【０１０７】
７９．高スループット関連情報がＮイミディエイトブロック肯定応答を示す実施形態６２〜７８のいずれか１つのシステム。
【０１０８】
８０．高スループット関連情報が、ＢＡまたはＢＡＲに関する否定応答を含むＮ遅延ＢＡを示す実施形態６２〜７９のいずれか１つのシステム。
【０１０９】
８１．高スループット関連情報が圧縮ビットマップブロック肯定応答を示す実施形態６２〜８０のいずれか１つのシステム。
【０１１０】
８２．高スループット関連情報が、ＰＳＤＵとして集約されたＭＰＤＵの通常肯定応答をアサートすることによる暗黙的ブロック肯定応答要求を示す実施形態６２〜８１のいずれか１つのシステム。
【０１１１】
８３．高スループット関連情報が、ＮＡＶ解放のためのＣＦエンドでの長ＮＡＶ確保を示す実施形態６２〜８２のいずれか１つのシステム。
【０１１２】
８４．高スループット関連情報が物理層レベルスプーフィングを示す実施形態６２〜８３のいずれか１つのシステム。
【０１１３】
８５．高スループット関連情報がＭＩＭＯ省電力を示す実施形態６２〜８４のいずれか１つのシステム。
【０１１４】
８６．高スループット関連情報がＭＩＭＯ低減能力を示す実施形態６２〜８５のいずれか１つのシステム。
【０１１５】
８７．高スループット関連情報が、２０ＭＨｚチャネルと４０ＭＨｚチャネルの共存を管理するための機構を示す実施形態６２〜８６のいずれか１つのシステム。
【０１１６】
８８．高スループット関連情報がチャネル管理方法およびチャネル選択方法を示す実施形態６２〜８７のいずれか１つのシステム。
【０１１７】
８９．高スループット関連情報がＲＩＦＳ保護を示す実施形態６２〜８８のいずれか１つのシステム。
【０１１８】
９０．高スループット関連情報がグリーンフィールド保護を示す実施形態６２〜８９のいずれか１つのシステム。
【０１１９】
９１．高スループット関連情報がＰＳＭＰを示す実施形態６２〜９０のいずれか１つのシステム。
【０１２０】
９２．高スループット関連情報が複数のＴＩＤブロック肯定応答を示す実施形態６２〜９１のいずれか１つのシステム。
【０１２１】
９３．高スループット関連情報がＳＴＢＣ制御フレームを示す実施形態６２〜９２のいずれか１つのシステム。
【０１２２】
９４．高スループット関連情報がＬ−ＳＩＧ伝送機会保護を示す実施形態６２〜９３のいずれか１つのシステム。
【０１２３】
９５．高スループット関連情報がＰＣＯ能力を示す実施形態６２〜９４のいずれか１つのシステム。
【０１２４】
９６．高スループット関連情報が送信ビーム形成能力を示す実施形態６２〜９５のいずれか１つのシステム。
【０１２５】
９７．高スループット関連情報が高速リンク適合を示す実施形態６２〜９６のいずれか１つのシステム。
【０１２６】
９８．高スループット関連情報が暗黙的フィードバックを示す実施形態６２〜９７のいずれか１つのシステム。
【０１２７】
９９．高スループット関連情報がＣＳＩフィードバックを示す実施形態６２〜９８のいずれか１つのシステム。
【０１２８】
１００．高スループット関連情報が、ゼロ長フレームのサウンディングフレームとしての使用を示す実施形態６２〜９９のいずれか１つのシステム。
【０１２９】
１０１．高スループット関連情報が較正サポートを示す実施形態６２〜１００のいずれか１つのシステム。
【０１３０】
１０２．高スループット関連情報が応答側のデータ転送の逆方向サポートを示す実施形態６２〜１０１のいずれか１つのシステム。
【０１３１】
１０３．高スループット関連情報がアンテナ選択を示す実施形態６２〜１０２のいずれか１つのシステム。
【０１３２】
１０４．ＳＴＡが、ＡＰの拡張範囲および通常範囲についての測定レポートを別個に生成および送信する実施形態６２〜１０３のいずれか１つのシステム。
【０１３３】
１０５．ＳＴＡが、ＡＰの拡張範囲および通常範囲についての組合せ測定レポートを生成および送信する実施形態６２〜１０４のいずれか１つのシステム。
【０１３４】
１０６．高スループット能力、機能、およびパラメータに関するＳＴＡおよびＡＰの現ステータス情報を得て、ＳＴＡおよびＡＰの高スループット能力、機能、およびパラメータのうちの少なくとも１つを選択的に動作可能および動作不能にするように構成されたネットワーク管理エンティティをさらに備える実施形態６３〜１０５のいずれか１つのシステム。
【０１３５】
１０７．ネットワーク管理エンティティがＡＰに含まれる実施形態１０６のシステム。
【０１３６】
１０８．ネットワーク管理エンティティ、ＳＴＡ、およびＡＰが、ｌａｙｅｒ  ２通信プロトコルを介して通信し、現ステータス情報を検索する実施形態１０６〜１０７のいずれか１つのシステム。
【０１３７】
１０９．ネットワーク管理エンティティ、ＳＴＡ、およびＡＰが、ｌａｙｅｒ  ３通信プロトコルを介して通信し、現ステータス情報を検索する実施形態１０６〜１０７のいずれか１つのシステム。
【０１３８】
１１０．現ステータス情報がポールを介して検索される実施形態１０６〜１０９のいずれか１つのシステム。
【０１３９】
１１１．現ステータス情報が周期的レポーティングを介して検索される実施形態１０６〜１０９のいずれか１つのシステム。
【０１４０】
１１２．現ステータス情報が自発的に検索される実施形態１０６〜１０９のいずれか１つのシステム。
【０１４１】
１１３．ネットワーク管理エンティティ、ＳＴＡ、およびＡＰがＳＮＭＰを使用して通信する実施形態１０６〜１１２のいずれか１つのシステム。
【０１４２】
１１４．ネットワーク管理エンティティ、ＳＴＡ、およびＡＰがＳＮＭＰ状メッセージを使用して通信し、ＳＮＭＰメッセージが、ＳＴＡとＡＰの間で伝送するためにＡＰによってＬ２フレームとしてカプセル化され、ＡＰとネットワーク管理エンティティの間で伝送するためにＡＰでＳＮＭＰメッセージに変換される実施形態１０６〜１１２のいずれか１つのシステム。
【０１４３】
１１５．ネットワーク管理エンティティ、ＳＴＡ、およびＡＰがＩＰユニットを使用して通信する実施形態１０６〜１１２のいずれか１つのシステム。
【０１４４】
１１６．ステータス情報が、ＳＴＡ、ＡＰ、およびネットワーク管理エンティティのうちの少なくとも１つの上に実装されたデータベースを介して収集される実施形態１０６〜１１２のいずれか１つのシステム。
【０１４５】
１１７．データベースがＭＩＢの形態である実施形態１１６のシステム。
【０１４６】
１１８．現ＡＰとターゲットＡＰが同一のＥＳＳに属する実施形態６２〜１１７のいずれか１つのシステム。
【０１４７】
１１９．現ＡＰとターゲットＡＰが異なるＥＳＳに属する実施形態６２〜１１７のいずれか１つのシステム。
【０１４８】
本発明の機能および要素を特定の組合せの好ましい実施形態で説明したが、各機能または要素を好ましい実施形態の他の機能および要素なしに単独で使用することができ、または本発明の他の機能および要素を伴う、もしくは伴わない様々な組合せで使用することができる。本発明で与えた方法またはフローチャートは、汎用コンピュータまたはプロセッサによって実行されるコンピュータ可読記憶媒体内に有形に実施されたコンピュータプログラム、ソフトウェア、またはファームウェアとして実装することができる。コンピュータ可読記憶媒体の例は、読取り専用メモリ（ＲＯＭ）、ランダムアクセスメモリ（ＲＡＭ）、レジスタ、キャッシュメモリ、半導体メモリ装置、内蔵ハードディスクや取外し可能ディスクなどの磁気媒体、光磁気媒体、ＣＤ−ＲＯＭディスクやデジタルバーサタイルディスク（ＤＶＤ）などの光媒体を含む。
【０１４９】
適切なプロセッサは、例えば、汎用プロセッサ、専用プロセッサ、従来型プロセッサ、デジタル信号プロセッサ（ＤＳＰ）、複数のマイクロプロセッサ、ＤＳＰコアに関連する１つまたは複数のマイクロプロセッサ、コントローラ、マイクロコントローラ、特定用途向け集積回路（ＡＳＩＣ）、フィールドプログラマブルゲートアレイ（ＦＰＧＡ）回路、任意の集積回路、および／または状態マシンを含む。
【０１５０】
ソフトウェアに関連するプロセッサを使用して、ワイヤレス送受信ユニット（ＷＴＲＵ）、ユーザ装置（ＵＥ）、端末、基地局、無線ネットワークコントローラ（ＲＮＣ）、または任意のホストコンピュータで使用される無線周波数トランシーバを実装することができる。カメラ、ビデオカメラモジュール、ビデオフォン、スピーカフォン、バイブレーション装置、スピーカ、マイクロフォン、テレビジョントランシーバ、ハンズフリーヘッドセット、キーボード、Ｂｌｕｅｔｏｏｔｈモジュール、周波数変調（ＦＭ）無線ユニット、液晶ディスプレイ（ＬＣＤ）ディスプレイユニット、有機発光ダイオード（ＯＬＥＤ）ディスプレイユニット、デジタル音楽プレーヤ、メディアプレーヤ、ビデオゲームプレーヤモジュール、インターネットブラウザ、および／または任意のワイヤレスローカルエリアネットワーク（ＷＬＡＮ）モジュールなどのハードウェアおよび／またはソフトウェアで実装されたモジュールと共にＷＴＲＵを使用することができる。
【図１】
2011234375.tif 000005
【図２】
2011234375.tif 000006
【手続補正書】
【提出日】平成23年9月9日(2011.9.9)
【手続補正１】
【補正対象書類名】特許請求の範囲
【補正対象項目名】全文
【補正方法】変更
【補正の内容】
【特許請求の範囲】
【請求項１】
ステーション（ＳＴＡ）内の高スループット（ＨＴ）オペレーションに関する方法であって、
隣接レポート要求フレームをアクセスポイント（ＡＰ）へ送信するステップと、
前記アクセスポイント（ＡＰ）から隣接レポートフレームを受信するステップと
を具え、前記隣接レポートフレームは、少なくとも１つの隣接アクセスポイント（ＡＰ）の高スループット（ＨＴ）能力を示す高スループット（ＨＴ）能力要素を含むことを特徴とする方法。
【請求項２】
隣接アクセスポイント（ＡＰ）から時空ブロックコード（ＳＴＢＣ）ビーコンを受信するステップと、
ここで、前記時空ブロックコード（ＳＴＢＣ）ビーコンは、基本サービスセット（ＢＳＳ）の拡張範囲となるために使用され、
前記時空ブロックコード（ＳＴＢＣ）ビーコンに基づいて少なくとも１つの隣接アクセスポイント（ＡＰ）に関連付けるステップと
をさらに具えたことを特徴とする請求項１記載の方法。
【請求項３】
前記隣接レポートフレーム内の高スループット（ＨＴ）能力要素は、少なくとも１つの隣接アクセスポイント（ＡＰ）の能力、機能、又はパラメータを含むことを特徴とする請求項１記載の方法。
【請求項４】
前記高スループット（ＨＴ）能力要素が、複数のメディアアクセス制御（ＭＡＣ）プロトコロルデータユニット（ＭＰＤＵ）の１つの物理サービスデータユニット（ＰＳＤＵ）への集約を可能にするフレーム集約フォーマット、又は、複数のメディアアクセス制御（ＭＡＣ）サービスデータユニット（ＭＳＤＵ）の１つのＭＡＣプロトコロルデータ単位（ＭＰＤＵ）への集約を可能にするフレーム集約フォーマットを示すことを特徴とする請求項１記載の方法。
【請求項５】
前記高スループット（ＨＴ）能力要素が、ブロック肯定応答機構、Ｎイミディエイトブロック肯定応答、ブロック肯定応答（ＢＡ）またはＢＡ要求（ＢＡＲ）に関する否定応答を含むＮ遅延ＢＡ、圧縮ビットマップブロック肯定応答、又は、複数のトラフィック識別子（ＴＩＤ）ブロック肯定応答を示すことを特徴とする請求項１記載の方法。
【請求項６】
前記高スループット（ＨＴ）能力要素が、物理サービスデータユニット（ＰＳＤＵ）として集約されたメディアアクセス制御（ＭＡＣ）プロトコロルデータ単位（ＭＰＤＵ）の通常肯定応答をアサートすることによる暗黙的ブロック肯定応答要求を示すことを特徴とする請求項１記載の方法。
【請求項７】
前記高スループット（ＨＴ）能力要素が、長ネットワーク割振りベクトル（ＮＡＶ）解放のためのコンテンションフリー（ＣＦ）エンドでのＮＡＶ確保を示すことを特徴とする請求項１記載の方法。
【請求項８】
前記高スループット（ＨＴ）能力要素が、物理層レベルスプーフィングを示すことを特徴とする請求項１記載の方法。
【請求項９】
前記高スループット（ＨＴ）能力要素が、多重入力多重出力（ＭＩＭＯ）省電力を示すことを特徴とする請求項１記載の方法。
【請求項１０】
前記高スループット（ＨＴ）能力要素が、２０ＭＨｚチャネルと４０ＭＨｚチャネルの共存を管理するための機構を示すことを特徴とする請求項１記載の方法。
【請求項１１】
前記高スループット（ＨＴ）能力要素が、チャネル管理方法およびチャネル選択方法を示すことを特徴とする請求項１記載の方法。
【請求項１２】
前記高スループット（ＨＴ）能力要素が、短縮フレーム間間隔（ＲＩＦＳ）保護、グリーンフィールド保護、又は、非高スループット（ＨＴ）信号フィールド（Ｌ−ＳＩＧ）伝送機会保護を示すことを特徴とする請求項１記載の方法。
【請求項１３】
前記高スループット（ＨＴ）能力要素が、省電力マルチポール（ＰＳＭＰ）を示すことを特徴とする請求項１記載の方法。
【請求項１４】
前記高スループット（ＨＴ）能力要素が、時空ブロックコーディング（ＳＴＢＣ）制御フレームを示すことを特徴とする請求項１記載の方法。
【請求項１５】
前記高スループット（ＨＴ）能力要素が、制御および観測ポイント（ＰＣＯ）能力、送信ビーム形成能力、アンテナ選択能力、又は、較正サポートを示すことを特徴とする請求項１記載の方法。
【請求項１６】
前記高スループット（ＨＴ）能力要素が、高速リンク適合を示すことを特徴とする請求項１記載の方法。
【請求項１７】
前記高スループット（ＨＴ）能力要素が、暗黙的フィードバック、又は、チャネル状態情報（ＣＳＩ）フィードバックを示すことを特徴とする請求項１記載の方法。
【請求項１８】
前記高スループット（ＨＴ）能力要素が、ゼロ長フレームのサウンディングフレームとしての使用を示すことを特徴とする請求項１記載の方法。
【請求項１９】
前記高スループット（ＨＴ）能力要素が、ＩＥＥＥ８０２．１１ｎサービスの可用性、ブロック肯定応答（ＡＣＫ）資源の可用性およびブロックＡＣＫ合意の事前セットアップ、集約メディアアクセス制御プロトコロルデータ単位（Ａ−ＭＰＤＵ）集約パラメータのセットアップ、省電力マルチポール（ＰＳＭＰ）サービスの可用性、自動省電力送達（ＡＰＳＤ）サービスおよびパラメータの可用性、拡張範囲サービスの可用性、ならびに一定のデータ転送速度の可用性のうちの少なくとも１つを含むことを特徴とする請求項１記載の方法。
【請求項２０】
測定レポートフレームを送信することをさらに具えたことを特徴とする請求項１記載の方法。
【請求項２１】
前記測定レポートフレームは、第２高スループット（ＨＴ）能力要素を含むことを特徴とする請求項２０記載の方法。
【請求項２２】
前記第２高スループット（ＨＴ）能力要素高が、ステーション（ＳＴＡ）の能力、機能、およびパラメータのうちの少なくとも１つを含むことを特徴とする請求項２１記載の方法。
【請求項２３】
高スループット（ＨＴ）ステーション（ＳＴＡ）であって、
隣接レポート要求フレームをアクセスポイント（ＡＰ）へ送信するように構成された送信機と、
隣接レポートフレームを受信するように構成された受信機と、
ここで、前記隣接レポートフレームは、少なくとも１つの隣接アクセスポイント（ＡＰ）の高スループット（ＨＴ）能力を示す高スループット（ＨＴ）能力要素を含み、
を具えたことを特徴とする高スループット（ＨＴ）ステーション（ＳＴＡ）。
【請求項２４】
前記受信機は、少なくとも１つの隣接アクセスポイント（ＡＰ）から時空ブロックコード（ＳＴＢＣ）ビーコンを受信するように構成され、
前記高スループット（ＨＴ）ステーション（ＳＴＡ）は、
前記時空ブロックコード（ＳＴＢＣ）ビーコンに基づいて、基本サービスセット（ＢＳＳ）の拡張範囲になることを可能にすることと、
前記時空ブロックコード（ＳＴＢＣ）ビーコンに基づいて、少なくとも１つの隣接アクセスポイント（ＡＰ）に関連付けることと
実行するように構成されたプロセッサをさらに具えたことを特徴とする請求項２３記載の高スループット（ＨＴ）ステーション（ＳＴＡ）。